(57)【特許請求の範囲】
【請求項１】
凸状または凹状の第１の不陸部を有する被覆面の高さ情報を階調値で示すハイトデータを、前記第１の不陸部の高さと平面形状、および前記平面形状の周縁からの距離と高さの関係を示すプロファイルデータを用いて作成するハイトデータ作成手段と、
第１のシートの凹凸形状の高さ情報を階調値で示すエンボス版製造用のハイトデータの階調値と、前記被覆面のハイトデータの階調値を加算し、合成ハイトデータを作成する合成手段と、
を有することを特徴とする情報処理装置。
【請求項２】
前記合成ハイトデータが示す凹凸形状を所定の視点位置および光源位置の条件で見た場合の画像を作成する画像作成手段をさらに有することを特徴とする請求項１記載の情報処理装置。
【請求項３】
前記プロファイルデータを作成するプロファイルデータ作成手段をさらに有し、
前記プロファイルデータ作成手段は、
凸状または凹状の第２の不陸部を有する被覆面に貼着された状態の第２のシートの凹凸形状の高さ情報を階調値で示すハイトデータの階調値から、前記第２のシートのみについてのハイトデータの階調値を減算して得たハイトデータに対し、前記第２の不陸部の位置を中心とする極座標変換を行って周方向の平均をとり、前記プロファイルデータを作成することを特徴とする請求項１または請求項２記載の情報処理装置。
【請求項４】
前記第１の不陸部と前記第２の不陸部の平面形状が異なることを特徴とする請求項３記載の情報処理装置。
【請求項５】
前記プロファイルデータは、前記第２の不陸部の高さを変えて複数作成され、
前記ハイトデータ作成手段は、前記第１の不陸部の高さが前記第２の不陸部の高さのいずれとも異なる場合、複数の前記プロファイルデータを補間して用いることを特徴とする請求項３または請求項４に記載の情報処理装置。
【請求項６】
前記ハイトデータ作成手段は、前記第１の不陸部からの方向と前記第１のシートの凹凸形状に応じて異なる前記プロファイルデータを用いることを特徴とする請求項１から請求項５のいずれかに記載の情報処理装置。
【請求項７】
前記ハイトデータ作成手段は、前記第１のシートの厚みに応じて異なる前記プロファイルデータを用いることを特徴とする請求項１から請求項６のいずれかに記載の情報処理装置。
【請求項８】
前記第１のシートは壁紙であることを特徴とする請求項１から請求項７のいずれかに記載の情報処理装置。
【請求項９】
コンピュータが、
凸状または凹状の第１の不陸部を有する被覆面の高さ情報を階調値で示すハイトデータを、前記第１の不陸部の高さと平面形状、および前記平面形状の周縁からの距離と高さの関係を示すプロファイルデータを用いて作成するステップと、
第１のシートの凹凸形状の高さ情報を階調値で示すエンボス版製造用のハイトデータの階調値と、前記被覆面のハイトデータの階調値を加算し、合成ハイトデータを作成するステップと、
を実行することを特徴とする情報処理方法。
【請求項１０】
コンピュータに、
凸状または凹状の第１の不陸部を有する被覆面の高さ情報を階調値で示すハイトデータを、前記第１の不陸部の高さと平面形状、および前記平面形状の周縁からの距離と高さの関係を示すプロファイルデータを用いて作成するステップと、
第１のシートの凹凸形状の高さ情報を階調値で示すエンボス版製造用のハイトデータの階調値と、前記被覆面のハイトデータの階調値を加算し、合成ハイトデータを作成するステップと、
を実行させるためのプログラム。
【請求項１１】
コンピュータに、
凸状または凹状の第１の不陸部を有する被覆面の高さ情報を階調値で示すハイトデータを、前記第１の不陸部の高さと平面形状、および前記平面形状の周縁からの距離と高さの関係を示すプロファイルデータを用いて作成するステップと、
第１のシートの凹凸形状の高さ情報を階調値で示すエンボス版製造用のハイトデータの階調値と、前記被覆面のハイトデータの階調値を加算し、合成ハイトデータを作成するステップと、
を実行させるためのプログラムを記録した記録媒体。
【請求項１２】
凸状または凹状の第１の不陸部を有する被覆面の高さ情報を階調値で示すハイトデータを、前記第１の不陸部の高さと平面形状、および前記平面形状の周縁からの距離と高さの関係を示すプロファイルデータを用いて作成するハイトデータ作成手段と、
第１のシートの凹凸形状の高さ情報を階調値で示すエンボス版製造用のハイトデータの階調値と、前記被覆面のハイトデータの階調値を加算し、合成ハイトデータを作成する合成手段と、
を有する情報処理装置と、
前記エンボス版製造用のハイトデータに基づいて、彫刻またはエッチングの手法により前記第１のシートの凹凸形状を表面に形成したエンボス版を製造するエンボス版製造装置と、
を備えることを特徴とするエンボス版製造システム。
【発明の詳細な説明】
【技術分野】
【０００１】
本発明は、壁紙等のシートの不陸隠蔽性を確認可能とする情報処理装置等に関する。
【背景技術】
【０００２】
壁紙等のシートの意匠として、石目柄や織物柄等、テクスチュアの凹凸形状を表面に有するものがある。このようなシートを製造するためには、例えば、テクスチュアの凹凸形状を表面に形成したエンボス版を製造し、この凹凸を樹脂等のシートに転写する。
【０００３】
エンボス版に凹凸形状を形成するためには、凹凸形状のデータを版下用に作成する必要がある。このデータはハイトデータ（ハイトフィールドデータ）と呼ばれ、凹凸形状の高さ情報を階調値で表した画像データである。
【０００４】
このハイトデータは、エンボス版によってシート表面に形成される凹凸形状を示すものであり、近年、このようなハイトデータを用いて、壁紙等のシートの見え方を可視化する可視化装置が開発されている（特許文献１参照）。
【０００５】
特許文献１には、ハイトデータが示す凹凸形状に対して仮想的に光源位置および視点位置を設定し、ハイトデータの凹凸により生じる影（光源の光が直接反射されない領域）およびオクルージョン（視点から見えない領域）を考慮して、光源から照射された光の凹凸形状上での拡散反射と鏡面反射の各成分に応じた各画素の輝度値を求め、これを投影変換することにより、ハイトデータの凹凸形状を所定の視点位置および光源位置の条件で見た場合の画像を作成することが記載されている。
【先行技術文献】
【特許文献】
【０００６】
【特許文献１】特開２０１１−１０３０９７号公報
【発明の概要】
【発明が解決しようとする課題】
【０００７】
ところで、壁紙等のシートが貼着される下地となる壁面や石膏ボード等の被覆面は、必ずしも平らではなく、凹凸を有している場合が多い。このような凹凸を不陸と呼ぶが、シートを不陸のある被覆面に実際に貼着すると、不陸によってシートにはない凹凸形状が見えてしまうことがある。このような不陸の見え方は、不陸の形状、シート表面の凹凸形状等の条件によって変化する。ここで、シートを貼着した際の不陸の見え方（見え難さ）を不陸隠蔽性と呼ぶ。
【０００８】
従来、シートの不陸隠蔽性を確認するためには、実際にシートを作製した上で不陸を有する被覆面にシートを貼り付けて、光源と視点の位置関係等の条件を変えながら肉眼で確認していた。しかしながら、このような方法では多くの手間とコストを要する問題があった。また、どのような条件で確認作業を行うかは確認者次第であり、基準がないために評価にばらつきがあった。特許文献１の方法は不陸について考慮したものではなく、壁紙等のシートの不陸隠蔽性を簡単かつ高精度に確認可能とする方法が求められていた。
【０００９】
本発明は、このような課題に鑑みてなされたもので、壁紙等のシートの不陸隠蔽性を簡単かつ高精度に確認可能とする情報処理装置等を提供することを目的とする。
【課題を解決するための手段】
【００１０】
前述した課題を解決するための第１の発明は、凸状または凹状の第１の不陸部を有する被覆面の高さ情報を階調値で示すハイトデータを、前記第１の不陸部の高さと平面形状、および前記平面形状の周縁からの距離と高さの関係を示すプロファイルデータを用いて作成するハイトデータ作成手段と、第１のシートの凹凸形状の高さ情報を階調値で示すエンボス版製造用のハイトデータの階調値と、前記被覆面のハイトデータの階調値を加算し、合成ハイトデータを作成する合成手段と、を有することを特徴とする情報処理装置である。
【００１１】
第１の発明によれば、シートの凹凸形状を示すエンボス版製造用のハイトデータと不陸部を有する被覆面のハイトデータとを合成した合成ハイトデータによって、不陸部を有する被覆面にシートを貼着した状態を表現できる。従って、シートの不陸隠蔽性を、シートを製造する手間とコストを省いて簡単に確認することが可能になる。また、被覆面のハイトデータを、不陸部の平面形状の周縁からの距離と高さの関係を示すプロファイルデータを用いて作成することで、被覆面とシートの間に生じる隙間の影響を考慮し、被覆面にシートを貼着した状態を高精度に表現できる。加えて、不陸部の高さや平面形状等のパラメータを変化させることで多様な不陸部の表現が簡単にできる。また、これらのパラメータを予め定めて確認作業時の基準を設けることで、評価のばらつきが低減される。
【００１２】
こうして不陸隠蔽性を確認することで、エンボス版製造用のハイトデータに関し不陸隠蔽性の高い最適なものを選択し、選択されたハイトデータに基づいてエンボス版を製造できる。エンボス版の製造には比較的大きな時間やコストがかかるが、本発明によれば予め不陸隠蔽性の高いハイトデータを選別できるため、製造したエンボス版が無駄になるリスクを低減できる。このエンボス版を用いてシート表面にエンボス加工を行ってシートを製造すれば、不陸隠蔽性が高く意匠性に優れたシートが効率よく製造できる。
【００１３】
前記合成ハイトデータが示す凹凸形状を所定の視点位置および光源位置の条件で見た場合の画像を作成する画像作成手段をさらに有することが望ましい。
合成ハイトデータを所定の視点位置や光源位置等の可視化条件で可視化した画像を用いて、シートを被覆面に貼着した際の不陸隠蔽性を簡単に確認でき、可視化条件の変更により様々な視点位置や光源位置にて確認作業が簡単にできる。また、可視化条件を予め定めて確認作業時の基準を設けることで、前記と同じく評価のばらつきが低減される。
【００１４】
前記プロファイルデータを作成するプロファイルデータ作成手段をさらに有し、前記プロファイルデータ作成手段は、凸状または凹状の第２の不陸部を有する被覆面に貼着された状態の第２のシートの凹凸形状の高さ情報を階調値で示すハイトデータの階調値から、前記第２のシートのみについてのハイトデータの階調値を減算して得たハイトデータに対し、前記第２の不陸部の位置を中心とする極座標変換を行って周方向の平均をとり、前記プロファイルデータを作成することが望ましい。
これにより、被覆面とシートの間に生じる隙間の影響を示すプロファイルデータを高精度に作成できる。
【００１５】
例えば、前記第１の不陸部と前記第２の不陸部の平面形状は異なる。
プロファイルデータ作成時の不陸部の平面形状と、被覆面のハイトデータ作成時の不陸部の平面形状とは同じである必要はない。従って、所定の不陸部を用いて作成されたプロファイルデータを、被覆面のハイトデータ作成時に任意の平面形状の不陸部に適用でき、汎用性が高い。
【００１６】
前記プロファイルデータは、前記第２の不陸部の高さを変えて複数作成され、前記ハイトデータ作成手段は、前記第１の不陸部の高さが前記第２の不陸部の高さのいずれとも異なる場合、複数の前記プロファイルデータを補間して用いることが望ましい。
被覆面のハイトデータ作成時の不陸部の高さに応じてプロファイルデータを補間して用いることで、様々な高さの不陸部について、被覆面にシートを貼着した状態を高精度に表現できる。
【００１７】
また、前記ハイトデータ作成手段は、前記第１の不陸部からの方向と前記第１のシートの凹凸形状に応じて異なる前記プロファイルデータを用いることも望ましい。また、前記第１のシートの厚みに応じて異なる前記プロファイルデータを用いることも望ましい。
被覆面のハイトデータ作成時に、不陸部からの方向とシートの凹凸形状、あるいはシートの厚みに応じて異なるプロファイルデータを用いることで、シートの柄や不陸部からの方向、あるいはシートの厚みに応じて被覆面とシートの間の隙間のでき方が異なるケースも高精度に表現できる。
【００１８】
また、前記シートは壁紙であることが望ましい。
不陸を隠蔽できることは壁紙の意匠性において特に重要であり、本発明を壁紙に適用する効果は非常に大きい。
【００１９】
第２の発明は、コンピュータが、凸状または凹状の第１の不陸部を有する被覆面の高さ情報を階調値で示すハイトデータを、前記第１の不陸部の高さと平面形状、および前記平面形状の周縁からの距離と高さの関係を示すプロファイルデータを用いて作成するステップと、第１のシートの凹凸形状の高さ情報を階調値で示すエンボス版製造用のハイトデータの階調値と、前記被覆面のハイトデータの階調値を加算し、合成ハイトデータを作成するステップと、を実行することを特徴とする情報処理方法である。
【００２０】
第３の発明は、コンピュータに、凸状または凹状の第１の不陸部を有する被覆面の高さ情報を階調値で示すハイトデータを、前記第１の不陸部の高さと平面形状、および前記平面形状の周縁からの距離と高さの関係を示すプロファイルデータを用いて作成するステップと、第１のシートの凹凸形状の高さ情報を階調値で示すエンボス版製造用のハイトデータの階調値と、前記被覆面のハイトデータの階調値を加算し、合成ハイトデータを作成するステップと、を実行させるためのプログラムである。
【００２１】
第４の発明は、コンピュータに、凸状または凹状の第１の不陸部を有する被覆面の高さ情報を階調値で示すハイトデータを、前記第１の不陸部の高さと平面形状、および前記平面形状の周縁からの距離と高さの関係を示すプロファイルデータを用いて作成するステップと、第１のシートの凹凸形状の高さ情報を階調値で示すエンボス版製造用のハイトデータの階調値と、前記被覆面のハイトデータの階調値を加算し、合成ハイトデータを作成するステップと、を実行させるためのプログラムを記録した記録媒体である。
【００２２】
第５の発明は、凸状または凹状の第１の不陸部を有する被覆面の高さ情報を階調値で示すハイトデータを、前記第１の不陸部の高さと平面形状、および前記平面形状の周縁からの距離と高さの関係を示すプロファイルデータを用いて作成するハイトデータ作成手段と、第１のシートの凹凸形状の高さ情報を階調値で示すエンボス版製造用のハイトデータの階調値と、前記被覆面のハイトデータの階調値を加算し、合成ハイトデータを作成する合成手段と、を有する情報処理装置と、前記エンボス版製造用のハイトデータに基づいて、彫刻またはエッチングの手法により前記第１のシートの凹凸形状を表面に形成したエンボス版を製造するエンボス版製造装置と、を備えることを特徴とするエンボス版製造システムである。
【発明の効果】
【００２３】
本発明により、壁紙等のシートの不陸隠蔽性を簡単かつ高精度に確認可能とする情報処理装置等を提供することができる。
【図面の簡単な説明】
【００２４】
【図１】情報処理装置１のハードウエア構成図
【図２】記憶部１２のデータを示す図
【図３】被覆面４１にシート４３を貼着した状態を示す図
【図４】平面形状データ４を示す図
【図５】プロファイルデータ５を示す図
【図６】貼着シートハイトデータ６と非貼着シートハイトデータ７を示す図
【図７】情報処理装置１の処理の概略について示すフローチャート
【図８】プロファイルデータ５の作成の流れを示すフローチャート
【図９】プロファイルデータ５の作成について説明する図
【図１０】被覆面ハイトデータの作成の流れを示すフローチャート
【図１１】被覆面ハイトデータの作成について説明する図
【図１２】逐次型距離変換について説明する図
【図１３】被覆面ハイトデータ８を示す図
【図１４】合成ハイトデータを可視化した画像の例
【図１５】エンボス版製造システム１０を示す図
【図１６】エンボス版製造装置９を示す図
【図１７】エンボス版製造装置９Ａを示す図
【図１８】エンボス版製造装置９Ｂを示す図
【図１９】本発明の別の例について説明する図
【発明を実施するための形態】
【００２５】
以下、図面を参照しながら、本発明の好適な実施形態について詳細に説明する。
【００２６】
［第１の実施形態］
（１．情報処理装置）
図１は本発明の実施形態に係る情報処理装置１のハードウエア構成を示す図である。この情報処理装置１は、後述する各データを用いて、不陸部を有する被覆面に壁紙等のシートを貼着して被覆した状態を可視化した画像を作成し、これを表示するものである。
【００２７】
図１に示すように、情報処理装置１は、例えば、制御部１１、記憶部１２、メディア入出力部１３、周辺機器Ｉ／Ｆ（インタフェース）部１４、通信部１５、入力部１６、表示部１７等をバス１８を介して接続し構成されたコンピュータによって実現できる。
【００２８】
制御部１１は、ＣＰＵ、ＲＯＭ、ＲＡＭ等により構成される。ＣＰＵは、記憶部１２、ＲＯＭ等の記録媒体に格納される情報処理装置１の処理に係るプログラムをＲＡＭ上のワークメモリ領域に呼び出して実行し、バス１８を介して接続された各部を駆動制御する。ＲＯＭは、コンピュータのブートプログラムやＢＩＯＳ等のプログラム、データ等を恒久的に保持する。ＲＡＭは、ロードしたプログラムやデータを一時的に保持するとともに、制御部１１が各種処理を行うため使用するワークエリアを備える。
【００２９】
記憶部１２は例えばハードディスクドライブであり、後述する処理に際して制御部１１が実行するプログラムや、プログラム実行に必要なデータ、ＯＳ等が格納されている。これらのプログラム等は、制御部１１により必要に応じて読み出され、ＲＡＭに移して実行される。
【００３０】
メディア入出力部１３は、例えばＤＶＤドライブ等のメディア入出力装置であり、データの入出力を行う。
周辺機器Ｉ／Ｆ部１４は、周辺機器を接続させるためのポートであり、周辺機器Ｉ／Ｆ部１４を介して周辺機器とのデータの送受信を行う。周辺機器との接続形態は有線、無線を問わない。
通信部１５は、通信制御装置や通信ポート等を有し、ネットワークを介した他の装置等との通信を媒介する。
【００３１】
入力部１６は、例えば、キーボード、マウス等のポインティング・デバイス、テンキー等の入力装置であり、入力されたデータを制御部１１へ出力する。
表示部１７は、液晶パネルやＣＲＴモニタ等のディスプレイ装置と、ディスプレイ装置と連携して表示処理を実行するための論理回路（ビデオアダプタ等）で構成される。
バス１８は、各部間の制御信号、データ信号等の授受を媒介する経路である。
【００３２】
図２に示すように、情報処理装置１の記憶部１２には、シートハイトデータ３、平面形状データ４、プロファイルデータ５が記憶される。
【００３３】
これらのデータは、図３（ａ）、（ｂ）に模式的に示すように、不陸部４２、４５を有する被覆面４１にシート４３を貼着して被覆した状態を表現するために用いられる。図３（ａ）は凸状の不陸部４２の例であり、図３（ｂ）は凹状の不陸部４５の例である。以下では凸状の不陸部４２の例について説明するものとする。
【００３４】
シートハイトデータ３は、シート４３（第１のシート）の表面に形成するテクスチュアの凹凸形状の高さ情報を階調値で示したエンボス版製造用の画像データであり、例えば織物柄等のテクスチュアの凹凸形状を２５６の階調値のグレースケールで表現したものである。シートハイトデータ３は、どのような方法で作成されたものでもよい。例えば、３Ｄスキャナ等でテクスチュアの凹凸形状を読み取ってデータ化したものでもよいし、コンピュータにより自動生成したものでもよい。
【００３５】
平面形状データ４は、被覆面４１上の不陸部４２（第１の不陸部）の平面形状を示すデータであり、本実施形態では二値画像が用いられる。平面形状データ４の例を図４に示す。図４の平面形状データ４は、不陸部４２の平面形状が左から順に正方形、星形、ロの字形、円形であり、不陸部４２に当たる画素が白で、それ以外の被覆面４１に当たる画素が黒で表現されている。
【００３６】
プロファイルデータ５は、不陸部４２の平面形状の周縁からの距離と高さとの関係を示すデータであり、その一例を図５のグラフに示す。図５のグラフの横軸は周縁からの距離、縦軸は高さである。このプロファイルデータ５により、図３（ａ）に示すような、被覆面４１にシート４３を貼着した際に不陸部４２によって生じる隙間４４の形状が表現される。
【００３７】
記憶部１２には、上記の各データの他、貼着シートハイトデータ６と非貼着シートハイトデータ７も記憶される。これらのデータは、プロファイルデータ５を作成するために用いられる。
【００３８】
貼着シートハイトデータ６は、試作した実際のシートを、実際に不陸部を有する被覆面に貼着して、その状態のシート表面の凹凸形状を３Ｄスキャナ等で読み取り、これを階調値として表したハイトデータである。このシートおよび不陸部を、シートハイトデータ３で示されるシート４３および平面形状データ４で示される不陸部４２とそれぞれ区別するため、以下では実シート（第２のシート）、実不陸部（第２の不陸部）ということがある。
【００３９】
図６（ａ）は貼着シートハイトデータ６の例である。この貼着シートハイトデータ６は、実不陸部を凸状とし、その平面形状を円形としたものであるが、これに限ることはない。
【００４０】
非貼着シートハイトデータ７は、被覆面に貼着されない状態の実シートのみの凹凸形状を、上記と同様３Ｄスキャナ等を用いて読み取り、これを階調値として表したハイトデータである。図６（ｂ）は非貼着シートハイトデータ７の例である。
【００４１】
（２．情報処理装置１の処理の概略）
情報処理装置１の処理の概略について図７を参照して説明する。図７は情報処理装置１の処理の概略について示すフローチャートであり、図の各ステップは情報処理装置１の制御部１１が実行する。
【００４２】
図７に示すように、本実施形態では、情報処理装置１によりプロファイルデータ５を作成する（Ｓ１）。
【００４３】
また、情報処理装置１は、被覆面ハイトデータを作成し（Ｓ２）、シートハイトデータ３と被覆面ハイトデータを合成して合成ハイトデータを作成する（Ｓ３）。そして、合成ハイトデータの凹凸形状を所定の視点位置および光源位置で見た場合の画像を作成し、表示する（Ｓ４）。
【００４４】
（３．プロファイルデータ５の作成）
Ｓ１におけるプロファイルデータ５の作成について図８等を参照して説明する。図８はプロファイルデータ５の作成の流れを示すフローチャートであり、図の各ステップは情報処理装置１の制御部１１が実行する。
【００４５】
Ｓ１において、情報処理装置１は、貼着シートハイトデータ６と非貼着シートハイトデータ７を記憶部１２から取得する（Ｓ１１、Ｓ１２）。
【００４６】
そして、情報処理装置１は、貼着シートハイトデータ６から非貼着シートハイトデータ７を減算する（Ｓ１３）。ここでは、貼着シートハイトデータ６の各画素の階調値から、非貼着シートハイトデータ７の対応する位置にある画素の階調値を減算する。減算後のハイトデータの例を図９（ａ）に示す。
【００４７】
情報処理装置１は、減算後のハイトデータに対し、実不陸部の位置を中心とする極座標変換を行って周方向の平均値を算出し、プロファイルデータ５を作成する（Ｓ１４）。
【００４８】
極座標変換は、図９（ｂ）に示す実不陸部の中心からの距離ｒと基準に対する周方向の偏角θによって行われ、その結果の例が図９（ｃ）である。図９（ｃ）は、横軸を偏角θ、縦軸を距離ｒとして階調値を示したものである。
【００４９】
Ｓ１４では、図９（ｃ）の偏角θ間で階調値を平均する。こうして周方向の平均値を取ることで誤差を無くし、この平均値を高さに変換することでプロファイルデータ５が作成される。必要に応じて重み付き平均を取ること等も可能である。本実施形態では、図９（ｃ）のａで示す、実不陸部の周縁から外側の部分についてプロファイルデータ５が作成される。また、図９（ｄ）に示すように実不陸部の高さを変えて複数のプロファイルデータ５が作成される。図９（ｄ）では、実不陸部の高さが、周縁からの距離が「０」の位置でのプロファイルデータ５の高さに相当する。
【００５０】
（４．被覆面ハイトデータの作成）
次に、Ｓ２における被覆面ハイトデータの作成の流れについて図１０等を参照して説明する。図１０は被覆面ハイトデータの作成の流れを示すフローチャートであり、図の各ステップは情報処理装置１の制御部１１が実行する。
【００５１】
本実施形態では、まずユーザが、図１１（ａ）に示す不陸部４２の高さをパラメータとして入力する。情報処理装置１はこの入力を受付け（Ｓ２１）、入力された高さをＲＡＭ等に記憶する。
【００５２】
また、ユーザは平面形状データ４（図４参照）の中から不陸部４２の平面形状データ４を選択する。情報処理装置１は平面形状データ４の選択を受付け、選択された平面形状データ４を取得する（Ｓ２２）。ここでは図１１（ｂ）に示すように正方形の平面形状データ４が選択されたものとする。
【００５３】
この時点では図１１（ａ）、（ｂ）に示す不陸部４２の側方の傾斜部分の形状（図３（ａ）の隙間４４に対応する）は定まっていないので、情報処理装置１は、プロファイルデータ５に基づき不陸部４２に傾斜を付与し、被覆面ハイトデータを作成する（Ｓ２３）。
【００５４】
Ｓ２３では、例えば図１１（ｃ）に示すように、Ｓ２２で取得した平面形状データ４の不陸部４２以外の各画素（黒で示す画素）について、不陸部４２の平面形状の周縁からの距離Ｒを算出する。そして、プロファイルデータ５を用いて当該距離Ｒに対応する高さを取得し、これを階調値に変換して各画素の階調値とする。一方、不陸部４２の画素の階調値はＳ２１で取得した高さを階調値に変換したものとし、これにより被覆面ハイトデータが作成される。
【００５５】
上記の距離Ｒは、画素と、当該画素から最も近い周縁上の箇所との間の距離であり、平面形状データ４の二値画像に基づき既知の距離変換手法を用いて算出できる。具体的な距離変換手法としては逐次型距離変換と呼ばれる手法等があるが、簡単に説明すると、二値画像の所定領域（本実施形態では不陸部４２）以外の画素の値を、その画素から最も近い所定領域の画素までの距離に置き換えるものである。
【００５６】
例えば、平面形状データ４の二値画像に基づき、図１２（ａ）に部分的に示すような、不陸部４２の画素を「０」、それ以外の画素を任意の値（ここでは「１０」とする）とした画像を作成し、当該画像において、上下左右に隣接する画素間の距離および斜め方向に隣接する画素間の距離を所定値に定める。ここでは、それぞれ１、√２と定めるものとする。
【００５７】
そして、図１２（ｂ）に示すように、不陸部４２以外の画素の値を、最も近い「０」の画素（不陸部４２の画素）までの距離で置き換えた距離画像を作成する。例えば図中ｃで示す画素の値は、最も近い「０」の画素までの距離Ｒ（＝１＋√２）で置き換えられる。このようにして、平面形状データ４の不陸部４２以外の各画素について前記の距離Ｒが算出される。
【００５８】
なお、本実施形態では実不陸部の高さを変えて複数のプロファイルデータ５を作成しているが、Ｓ２３で用いるプロファイルデータ５としては、Ｓ２１で入力された不陸部４２の高さと同じ高さの実不陸部にて作成されたプロファイルデータ５があれば、それを用いることが望ましい。
【００５９】
一方、Ｓ２１で入力された不陸部４２の高さが、プロファイルデータ作成時の実不陸部の高さのいずれとも異なる場合は、図１１（ｄ）の点線で模式的に示すように、複数のプロファイルデータ５を補間し、周縁からの距離が「０」の位置での高さをＳ２１で入力された不陸部４２の高さ（図中ｂ参照）にあわせて用いることができる。但しこれに限ることはなく、所定のプロファイルデータ５を図１１（ｄ）のグラフの高さ方向に変形して用いるといったことも可能である。
【００６０】
図１３は、こうして作成された被覆面ハイトデータ８の例であり、不陸部４２を有する被覆面４１の高さ情報を２５６の階調値のグレースケールで示した画像データとなる。
【００６１】
（５．合成ハイトデータの作成と可視化）
前記のＳ３（図７参照）では、情報処理装置１が、シートハイトデータ３の階調値と、Ｓ２で作成された被覆面ハイトデータ８の階調値を、対応する位置にある画素同士で加算することにより、合成ハイトデータを作成する。合成ハイトデータは、図３（ａ）に示すように被覆面４１にシート４３を貼着して被覆した際のシート表面の凹凸形状の高さ情報を階調値で示した画像データである。
【００６２】
前記のＳ４（図７参照）では、情報処理装置１が、光源位置や視点位置などの可視化条件のユーザ入力を受付け、合成ハイトデータが示す凹凸形状を所定の視点位置および光源位置で見た場合の画像を作成し、表示部１７に表示する。図１４（ａ）はこの画像の例である。
【００６３】
画像を作成するには、例えば、特開２０１１−１０３０９７号公報に記載されるような手法を用いればよい。特開２０１１−１０３０９７号公報には、凹凸形状の高さ情報を各画素の階調値で表すハイトデータに対して仮想的に光源位置および視点位置を設定し、ハイトデータの凹凸により生じる影（光源の光が直接反射されない領域）およびオクルージョン（視点から見えない領域）を考慮して、光源から照射された光の凹凸形状上での拡散反射と鏡面反射の各成分に応じた各画素の輝度値を求め、これを投影変換することにより、ハイトデータの凹凸形状を所定の視点位置および光源位置で見た場合の画像を作成することが記載されている。ただし、視点位置および光源位置を設定して可視化を行う方法はこれに限らず、既知の種々の方法を用いることが可能である。なお、この際入力する可視化条件としては、光源の角度、強度、タイプ（平行光源やスポットライト等）を含めてもよい。
【００６４】
Ｓ４の処理は、複数の光源位置や視点位置の可視化条件について行い、様々な視点と光源の位置関係で見た場合の画像を作成することができる。また、不陸部４２の平面形状が異なる複数の被覆面ハイトデータ８を用いて作成した合成ハイトデータの各々について同様の処理を行うことで、様々な不陸についてシート４３の不陸隠蔽性を確認し、シート４３の不陸隠蔽性の総合的な評価が行える。図１４（ｂ）は、不陸部４２の平面形状が左から順に星形、ロの字形、円形の例である。このような画像を用いてシート４３の不陸隠蔽性を評価し、不陸隠蔽性が高く意匠性に優れたシート４３のシートハイトデータ３が選択できる。
【００６５】
（６．エンボス版製造システム１０）
図１５は本発明の実施形態に係るエンボス版製造システム１０を示す図であり、以上のようにして情報処理装置１によって作成した画像で不陸隠蔽性が評価されたシートハイトデータ３を、エンボス版製造装置９によるエンボス版の製造に用いるものである。
【００６６】
図１６はエンボス版製造装置９の例であり、シートハイトデータ３を用いてエンボス版シリンダ１００にテクスチュアの凹凸形状のエンボス彫刻を施すものである。図に示すように、エンボス版製造装置９は、コンピュータ９１、彫刻機９３、支持台１０１、および回転駆動部１０４を備える。
【００６７】
コンピュータ９１は、シートハイトデータ３に基づき、彫刻機９３や回転駆動部１０４を制御するものである。
【００６８】
彫刻機９３は、彫刻機制御部９３１、駆動部９３２、および彫刻用刃（打刻刃）９３３を備える。
【００６９】
彫刻機制御部９３１は、コンピュータ９１から入力されるシートハイトデータ３に従って駆動部９３２を駆動し、彫刻用刃９３３を支持台１０１、１０１に支持されたエンボス版シリンダ１００の版面に対して深さ方向に上下動するとともに、エンボス版シリンダ１００の回転軸方向（図中Ａ−Ａ方向）に移動させる。回転駆動部１０４は、コンピュータ９１から入力される指示に従って、支持台１０１、１０１に支持されたエンボス版シリンダ１００を回転軸Ａ−Ａ方向を中心に回転する。
【００７０】
これにより、彫刻機９３は、シートハイトデータ３が示すテクスチュアの凹凸形状に従った深さで金属製或いは樹脂製のエンボス版シリンダ１００に彫刻を施し、テクスチュアの凹凸形状を形成する。
【００７１】
なお、彫刻機９３は、彫刻用刃９３３に代えて、レーザ等を用いる方式のものでもよい。この場合、彫刻機９３は、図１６の駆動部９３２および彫刻用刃９３３に代えて、走査部、レーザ発振器、および光学ユニットを用いればよい。上記と同様にしてエンボス版シリンダ１００、あるいは光学ユニットを移動させながら、シートハイトデータ３に基づく出力値のレーザビームを光学ユニットを介して照射する。これによっても、エンボス版シリンダ１００にテクスチュアの凹凸形状を形成できる。
【００７２】
一方、エンボス版製造装置の別の例が図１７であり、図１７のエンボス版製造装置９Ａでは、シートハイトデータ３に基づいて、エッチングの手法を用いてエンボス版シリンダ２００にテクスチュアの凹凸形状を形成する。
【００７３】
エンボス版製造装置９Ａは、前記と同様のコンピュータ９１に加え、パターン露光装置９６、腐食装置９８、支持台１０１、および回転駆動部１０４を備える。支持台１０１にはレジスト層をコーティングしたエンボス版シリンダ２００が取り付けられている。
【００７４】
パターン露光装置９６は、走査部９６１、レーザ発振器９６２、および光学ユニット９６３を備える。
【００７５】
パターン露光装置９６は、コンピュータ９１から入力されるシートハイトデータ３に従って走査部９６１を駆動し、光学ユニットをエンボス版シリンダ２００の回転軸方向に移動させるとともに、レーザ発振器９６２を制御してシートハイトデータ３に従った出力値に変調する。
【００７６】
ここでは、所定の階調値を閾値としてシートハイトデータ３を二値化し、当該閾値を境にレーザがＯＮ／ＯＦＦになるように制御を行う。これにより、レジスト層をコーティングしたエンボス版シリンダ２００の所定位置にレーザビームを照射し、露光部と非露光部とからなるパターンを形成する露光処理を行う。レジスト層としては、ポジ型レジスト、ネガ型レジストのいずれも用いることができる。ポジ型レジストの場合は、露光処理により露光部のレジスト層がゲル化する。ネガ型レジストの場合は、露光処理により露光部のレジスト層が硬化する。
【００７７】
露光処理が完了したエンボス版シリンダ２００は、図示しない現像装置において現像と版洗浄が行われ、レジスト層のうち露光部（ポジ型レジストの場合）もしくは非露光部（ネガ型レジストの場合）が除去され、レジスト層のパターンが形成される。
【００７８】
その後、腐食装置９８によりエンボス版シリンダ２００に腐食液を作用させると、レジスト層の除去により露出した金属面の部分が腐食を受けて窪み、パターンに応じた凹凸形状が形成される。続いて洗浄処理を行い、残ったレジスト層を除去する。
【００７９】
その後、再度レジスト層をエンボス版シリンダ２００の表面にコーティングし、以上の処理を上記の閾値を変えて繰り返す。これを複数回行うことにより、エンボス版シリンダ２００の表面に複数段の凹凸形状を形成でき、これによりテクスチュアの凹凸形状をエンボス版シリンダ２００の表面に形成できる。閾値としては、適当な値を予め定めておくとよい。
【００８０】
また、レーザビームによってレジスト層のパターンを形成する手段としては、レジスト層をコーティングしたエンボス版シリンダ２００に直接描画（レジスト層を焼飛ばす）し、現像処理や洗浄処理によるレジスト層の除去を必要としないレーザ刷版装置もあり、多く用いられている。この場合のエンボス版製造装置の構成は、現像装置等を必要としない点を除いてエンボス版製造装置９Ａと同様である。
【００８１】
この際、パターン露光装置９６は、前記と同様の制御を行い、レジスト層をコーティングしたエンボス版シリンダ２００の所定位置にレーザビームを照射し、露光部のレジスト層を焼き飛ばし除去してレジスト層のパターンを形成する。レーザ発振器９６２が発振するレーザとしては、ＹＡＧレーザやファイバーレーザを使用することができる。
【００８２】
その後、前記と同様の腐食処理を行いパターンに応じた凹凸形状をエンボス版に形成した後、洗浄処理により残ったレジスト層の除去を行う。これらレジスト層コーティング、露光処理、腐食処理、洗浄処理を、前記の閾値を変えて複数回繰り返すことにより、エンボス版シリンダ２００の表面に複数段の凹凸形状が形成できる。
【００８３】
エンボス版製造装置のさらに別の例が図１８であり、図１８のエンボス版製造装置９Ｂは、シートハイトデータ３に基づいてフォトマスク９７を製造し、これを用いてエンボス版シリンダ２００にエッチングを行うことにより、テクスチュアの凹凸形状を形成するものである。
【００８４】
エンボス版製造装置９Ｂは、前記と同様のコンピュータ９１に加え、パターン露光装置９６、腐食装置９８、９８ａ、エンボス版露光装置９９、支持台１０１、および回転駆動部１０４を備える。支持台１０１にはレジスト層をコーティングしたエンボス版シリンダ２００が取り付けられる。
【００８５】
ここでは、パターン露光装置９６、腐食装置９８をフォトマスク９７の製造段階で利用し、このフォトマスク９７を用いて、エンボス版露光装置９９、腐食装置９８ａによりエンボス版の製造を行う。
【００８６】
フォトマスク９７は、基板９７３上に遮光膜９７２が形成され、さらにその上にレジスト層９７１がコーティングされる。このような状態のフォトマスク９７に対して、パターン露光装置９６は、図１７で説明したものと同様の方法でシートハイトデータ３の閾値に従った露光制御を行なうことにより、レジスト層９７１に露光部と非露光部とを形成する。その後、現像および洗浄を行って不要なレジスト層を除去してレジスト層のパターンを形成する。レジスト層が除去された部分では、遮光膜９７２が露出する。
【００８７】
続いて、腐食装置９８により腐食液を作用させると、露出した遮光膜９７２の部分が腐食により除去される。その後、洗浄処理により残ったレジスト層を除去すると、遮光膜９７２のパターンを基板９７３上に形成したフォトマスク９７が製造される。
【００８８】
フォトマスク９７は、上記の閾値の値を変えつつ必要な数だけ製造され、それぞれエンボス版シリンダ２００への露光の際に使用される。すなわち、レジスト層がコーティングされたエンボス版シリンダ２００をフォトマスク９７にて覆い、エンボス版露光装置９９で露光することにより、フォトマスク９７に形成されている遮光膜９７２のパターンに従った露光部および非露光部が形成される。
【００８９】
続いて、図１７の例と同様に現像、洗浄処理を行うことにより不要なレジスト層が除去されてエンボス版シリンダ２００にレジスト層のパターンが形成される。その後、腐食装置９８ａや洗浄装置（不図示）を用いて腐食および洗浄処理を行うと、前記と同様に、エンボス版シリンダ２００の表面に凹凸が形成され、残ったレジスト層が除去される。
【００９０】
フォトマスク９７を交換して、レジスト層コーティング、露光、現像、洗浄（不要なレジスト層の除去）、腐食、洗浄（残ったレジスト層の除去）の処理を繰り返すことにより、エンボス版シリンダ２００の表面に複数段の凹凸形状が形成でき、これによりテクスチュアの凹凸形状をエンボス版シリンダ２００の表面に形成できる。
【００９１】
これらのエンボス版製造装置９、９Ａ、９Ｂによれば、シートハイトデータ３に基づいて、エンボス版シリンダ１００、２００にテクスチュアの凹凸形状を形成することが可能となる。また、このエンボス版シリンダ１００、２００を用いて、所望のシートにエンボス加工を施すことにより壁紙等のシートが製造できる。シートの素材は、用途に応じて決定されるが、例えば、紙、樹脂、合成皮革等を用いることができる。
【００９２】
以上説明したように、本実施形態では、シートハイトデータ３と被覆面ハイトデータ８とを合成した合成ハイトデータによって、不陸部４２を有する被覆面４１にシート４３を貼着した状態を表現できる。従って、シート４３の不陸隠蔽性を、シート４３を製造する手間とコストを省いて簡単に確認することが可能になる。また、被覆面ハイトデータ８を、不陸部４２の平面形状の周縁からの距離と高さの関係を示すプロファイルデータ５を用いて作成することで、被覆面４１とシート４３の間に生じる隙間４４の影響を考慮し、被覆面４１にシート４３を貼着した状態を高精度に表現できる。加えて、不陸部４２の高さや平面形状等のパラメータを変化させることで、多様な不陸部４２の表現が簡単にできる。また、これらのパラメータを予め定めて確認作業時の基準を設けることで、評価のばらつきが低減される。
【００９３】
こうして不陸隠蔽性を確認することで、エンボス版製造用のシートハイトデータ３に関し不陸隠蔽性の高い最適なものを選択し、選択されたハイトデータに基づいてエンボス版を製造できる。エンボス版の製造には比較的大きな時間やコストがかかるが、本発明によれば予め不陸隠蔽性の高いハイトデータを選別できるため、製造したエンボス版が無駄になるリスクを低減できる。このエンボス版を用いてシート表面にエンボス加工を行ってシートを製造すれば、不陸隠蔽性が高く意匠性に優れたシートが効率よく製造できる。
【００９４】
また、本実施形態では、合成ハイトデータを所定の視点位置や光源位置等の可視化条件で可視化した画像を用いて、シート４３を被覆面４１に貼着した際の不陸隠蔽性を簡単に確認でき、可視化条件の変更により様々な視点位置や光源位置にて確認作業が簡単にできる。また、可視化条件を予め定めて確認作業時の基準を設けることで、前記と同じく評価のばらつきが低減される。
【００９５】
また、プロファイルデータ５を前記のＳ１で説明した手法により作成することで、被覆面４１とシート４３の間に生じる隙間４４の影響を示すプロファイルデータ５を高精度に作成できる。
【００９６】
また本実施形態では、プロファイルデータ作成時の実不陸部の平面形状は円形であり、被覆面ハイトデータ８の作成時には不陸部４２の平面形状を正方形としている。このように、実不陸部と不陸部４２の平面形状は同じである必要はなく（勿論同じでもよい）、所定の実不陸部を用いて作成されたプロファイルデータ５を、被覆面ハイトデータ８の作成時に任意の平面形状の不陸部４２に適用でき、汎用性が高い。
【００９７】
また、被覆面ハイトデータ８を作成する際に、Ｓ２１で入力された不陸部４２の高さが、プロファイルデータ作成時の実不陸部の高さのいずれとも異なる場合、複数のプロファイルデータ５を補間して用いることで、様々な高さの不陸部４２について、被覆面４１にシート４３を貼着した状態を高精度に表現できる。
【００９８】
なお、シート４３の剛性によっても前記した隙間４４のでき方が変わり、剛性が低い場合には不陸部４２に沿ってシート４３が貼り付けられるので隙間４４の幅は小さく、逆の場合には隙間４４の幅が大きくなる。そのため、シートの厚みや凹凸形状、材質、強度等、シートの剛性に関する各種の物性値を変化させつつ、様々なシートを用いてプロファイルデータ５を生成し、記憶部１２に保持しておくことも望ましい。その例が図１９（ａ）の点線や鎖線で示すプロファイルデータ５であり、プロファイルデータ５によって、シート４３の厚みが大きい場合など隙間４４の幅が大きくなるケース（点線）や、シート４３の厚みが小さい場合など隙間４４の幅の小さいケース（鎖線）が表現される。Ｓ２では、シート４３の厚み等の物性値をパラメータとして入力することで、シート４３の厚み等に応じて異なるプロファイルデータ５を用い、シート４３の剛性に応じた適切なプロファイルデータ５を適用することも可能である。
【００９９】
さらに、シート４３の凹凸形状すなわちシート４３の柄によっては、不陸部４２から横方向には幅の大きな隙間４４ができやすいが、縦方向では隙間４４の幅が小さくなるというように、隙間４４のでき方に異方性が生じることもある。そのため、平面形状データ４の不陸部４２からの方向とシートハイトデータ３の凹凸形状に応じて、例えば図１９（ａ）で示すプロファイルデータ５の中から異なるプロファイルデータ５を用いることもでき、これにより、上記のように隙間４４のでき方が異なるケースも高精度に表現できる。
【０１００】
また、本実施形態では不陸部４２が凸状である場合を説明したが、凹状の不陸部４５（図３（ｂ）参照）の場合は、実不陸部を凹状とした場合の貼着シートハイトデータ６を用いてプロファイルデータ５を作成すればよい。図３（ｂ）に示すように、凹状の不陸部４５の場合は不陸部４５の内側に隙間４４ができるので、例えばプロファイルデータ５は実不陸部の周縁から内側の部分について作成し、Ｓ２では、このプロファイルデータ５を用いて、図１９（ｂ）に示す不陸部４５の内側の傾斜部分の傾斜を付与できる。
【０１０１】
さらに、シートの例としては、壁面や石膏ボード等を被覆面とする壁紙に限ることなく、例えば天井や石膏ボード等を被覆面とする発泡性樹脂層を有する天井材でもよい。その他、木製や樹脂製等の基材の被覆面に貼着され、化粧板として用いられるような化粧シートでもよい。ただし、不陸を隠蔽できることは壁紙の意匠性において特に重要であり、本発明を壁紙に適用する効果は非常に大きい。
【０１０２】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【０１０３】
１；情報処理装置
３；シートハイトデータ
４；平面形状データ
５；プロファイルデータ
６；貼着シートハイトデータ
７；非貼着シートハイトデータ
８；被覆面ハイトデータ
９、９Ａ、９Ｂ；エンボス版製造装置
１０；エンボス版製造システム
４１；被覆面
４２、４５；不陸部
４３；シート
４４；隙間
【図１】
0006550828.tif 000002
【図２】
0006550828.tif 000003
【図３】
0006550828.tif 000004
【図４】
0006550828.tif 000005
【図５】
0006550828.tif 000006
【図６】
0006550828.tif 000007
【図７】
0006550828.tif 000008
【図８】
0006550828.tif 000009
【図９】
0006550828.tif 000010
【図１０】
0006550828.tif 000011
【図１１】
0006550828.tif 000012
【図１２】
0006550828.tif 000013
【図１３】
0006550828.tif 000014
【図１４】
0006550828.tif 000015
【図１５】
0006550828.tif 000016
【図１６】
0006550828.tif 000017
【図１７】
0006550828.tif 000018
【図１８】
0006550828.tif 000019
【図１９】
0006550828.tif 000020